【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
動画データを取得する取得手段と、
前記取得手段により取得された動画データを用いて、第１の動画データと、第２の動画データとを生成する生成手段と、
外部装置が前記第１の動画データを含む動画ファイルを記録するように、前記外部装置に前記第１の動画データを出力する出力手段と、
前記生成手段により生成された前記第２の動画データを含む動画ファイルを記録媒体に記録する記録手段と、
前記出力手段による前記外部装置への前記第１の動画データの出力と並列に、前記第２の動画データを前記記録媒体に記録するように前記記録手段を制御する制御手段とを備え、
前記制御手段は、前記記録手段が記録中の前記第２の動画データを含む動画ファイルをクローズする場合に、前記外部装置が記録中の前記第１の動画データを含む動画ファイルをクローズし、新たに動画ファイルを生成して前記第１の動画データの記録を続けるように、前記出力手段を制御して前記外部装置に対して動画ファイルのクローズの指示を出力することを特徴とする記録装置。
【請求項２】
前記制御手段は、前記記録手段による前記第２の動画データの記録中に前記記録媒体の残量が閾値よりも少なくなったことに応じて、前記記録手段が記録中の前記第２の動画データを含む動画ファイルをクローズするとともに前記記録媒体に対する前記第２の動画データの記録を停止するように、前記記録手段を制御することを特徴とする請求項１に記載の記録装置。
【請求項３】
前記記録手段は、第１の記録媒体と第２の記録媒体とを含む複数の記録媒体のうちの一つに前記第２の動画データを記録し、
前記制御手段は、前記記録手段が前記第１の記録媒体に前記第２の動画データを記録中に前記第１の記録媒体の残量が閾値よりも少なくなったことに応じて、前記記録手段が前記第１の記録媒体に記録中の前記第２の動画データを含む動画ファイルをクローズするとともに前記第１の記録媒体に対する前記第２の動画データの記録を停止し、前記第２の記録媒体に新たに動画ファイルを作成して前記第２の記録媒体に前記第２の動画データの記録を続けるように前記記録手段を制御することを特徴とする請求項１に記載の記録装置。
【請求項４】
動画データを取得する取得手段と、
前記取得手段により取得された動画データを用いて、第１の動画データと、第２の動画データとを生成する生成手段と、
外部装置が前記第１の動画データを含む動画ファイルを記録するように、前記外部装置に前記第１の動画データを出力する出力手段と、
前記生成手段により生成された前記第２の動画データを含む動画ファイルを記録媒体に記録する記録手段と、
前記出力手段による前記外部装置への前記第１の動画データの出力と並列に、前記第２の動画データを前記記録媒体に記録するように前記記録手段を制御する制御手段とを備え、
前記記録媒体に記録中の前記第２の動画データを含む動画ファイルをクローズし、新たに動画ファイルを生成して前記第２の動画データの記録を続けるように前記制御手段が前記記録手段を制御し、前記記録手段が記録中の前記第２の動画データを含む動画ファイルをクローズする場合には、前記制御手段は、前記外部装置に対して動画ファイルのクローズの指示を出力するように前記出力手段を制御することを特徴とする記録装置。
【請求項５】
前記制御手段は、前記記録手段が記録中の前記第２の動画データを含む動画ファイルのファイルサイズが所定値を超えたことに応じて、前記記録手段が記録中の前記第２の動画データを含む動画ファイルをクローズし、新たに動画ファイルを生成して前記第２の動画データの記録を続けるように、前記記録手段を制御することを特徴とする請求項１または４に記載の記録装置。
【請求項６】
前記出力手段は、前記クローズの指示を、前記外部装置に出力される前記第１の動画データに多重することを特徴とする請求項１または４に記載の記録装置。
【請求項７】
前記第２の動画データの画素数は前記第１の動画データよりも少ないことを特徴とする請求項１または４に記載の記録装置。
【請求項８】
動画データを取得する取得ステップと、
前記取得ステップにおいて取得された動画データを用いて、第１の動画データと、第２の動画データとを生成する生成ステップと、
外部装置が前記第１の動画データを含む動画ファイルを記録するように、前記生成ステップにより生成された前記第１の動画データを前記外部装置に出力するステップと、
前記外部装置への前記第１の動画データの出力と並列に、前記生成ステップにおいて生成された前記第２の動画データを含む動画ファイルを記録媒体に記録するステップと、
前記記録媒体に記録中の前記第２の動画データを含む動画ファイルをクローズする場合に、前記外部装置が記録中の前記第１の動画データを含む動画ファイルをクローズし、新たに動画ファイルを生成して前記第１の動画データの記録を続けるように、前記外部装置に対して動画ファイルのクローズの指示を出力するステップとを備えることを特徴とする記録方法。
【請求項９】
動画データを取得する取得ステップと、
前記取得ステップにおいて取得された動画データを用いて、第１の動画データと、第２の動画データとを生成する生成ステップと、
外部装置が前記第１の動画データを含む動画ファイルを記録するように、前記生成ステップにより生成された前記第１の動画データを前記外部装置に出力するステップと、
前記外部装置への前記第１の動画データの出力と並列に、前記生成ステップにおいて生成された前記第２の動画データを含む動画ファイルを記録媒体に記録するステップと、
前記記録媒体に記録中の前記第２の動画データを含む動画ファイルをクローズし、新たに動画ファイルを生成して前記第２の動画データの記録を続ける場合に、前記外部装置に対して動画ファイルのクローズの指示を出力するステップとを備えることを特徴とする記録方法。
【手続補正２】
【補正対象書類名】明細書
【補正対象項目名】０００７
【補正方法】変更
【補正の内容】
【０００７】
本発明の一観点によれば、動画データを取得する取得手段と、前記取得手段により取得された動画データを用いて、第１の動画データと、第２の動画データとを生成する生成手段と、外部装置が前記第１の動画データを含む動画ファイルを記録するように、前記外部装置に前記第１の動画データを出力する出力手段と、前記生成手段により生成された前記第２の動画データを含む動画ファイルを記録媒体に記録する記録手段と、前記出力手段による前記外部装置への前記第１の動画データの出力と並列に、前記第２の動画データを前記記録媒体に記録するように前記記録手段を制御する制御手段とを備え、前記制御手段は、前記記録手段が記録中の前記第２の動画データを含む動画ファイルをクローズする場合に、前記外部装置が記録中の前記第１の動画データを含む動画ファイルをクローズし、新たに動画ファイルを生成して前記第１の動画データの記録を続けるように、前記出力手段を制御して前記外部装置に対して動画ファイルのクローズの指示を出力することを特徴とする記録装置が提供される。
本発明の他の観点によれば、動画データを取得する取得手段と、前記取得手段により取得された動画データを用いて、第１の動画データと、第２の動画データとを生成する生成手段と、外部装置が前記第１の動画データを含む動画ファイルを記録するように、前記外部装置に前記第１の動画データを出力する出力手段と、前記生成手段により生成された前記第２の動画データを含む動画ファイルを記録媒体に記録する記録手段と、前記出力手段による前記外部装置への前記第１の動画データの出力と並列に、前記第２の動画データを前記記録媒体に記録するように前記記録手段を制御する制御手段とを備え、前記記録媒体に記録中の前記第２の動画データを含む動画ファイルをクローズし、新たに動画ファイルを生成して前記第２の動画データの記録を続けるように前記制御手段が前記記録手段を制御し、前記記録手段が記録中の前記第２の動画データを含む動画ファイルをクローズする場合には、前記制御手段は、前記外部装置に対して動画ファイルのクローズの指示を出力するように前記出力手段を制御することを特徴とする記録装置が提供される。